(57)【要約】【課題】  ロック機構が悪戯を受けることが無く、また美観が良好な便器上面設備を提供する。【解決手段】  フロントベースプレート３ａの両側縁近傍の下面から、第２の垂下片３ｓが一対垂設されている。同様に、リアベースプレート４ａの両側縁近傍の下面から、第１の垂下片４ｓが一対垂設されている。便座ボックス２を運搬等する際には、フロントベースプレート３ａとリアベースプレート４ａとを重ね合わせ、ロックピン５をロックピン差込孔４ｈ及びロックピン差込孔３ｈに差し込んでロックする。便座ボックス２を洋風便器本体１に据え付ける際には、洋風便器１の後部上面に便座ボックス２を載置し、次に該化粧プレート３ｃから突出したボス６をロックピン差込孔４ｈに差し込み、ロックピン５の頭部裏面がロックピン差込孔３ｈのリブ３ｌと当接するまで移動させてロックを解除する。【選択図】  図３
2005068771.tif 000002
【特許請求の範囲】
【請求項１】
洋風便器の後部上面に設置される便器上面設備であって、
該洋風便器に固定される固定メンバと、
該固定メンバに対し昇降可能に取り付けられた昇降メンバと、
該昇降メンバを固定メンバに対し上昇不能とするロック機構と、
を有する便器上面設備において、
該ロック機構を、外部から隠れる位置に設けたことを特徴とする便器上面設備。
【請求項２】
請求項１において、該便器上面設備は、洋風便器の側面の後方に配置されるカバープレートを備えており、
前記ロック機構が該カバープレートによって隠蔽されていることを特徴とする便器上面設備。
【請求項３】
請求項２において、前記ロック機構はロック片とロック片差込孔からなり、
前記固定メンバの側部から第１の垂下片が垂設されると共に、前記昇降メンバの側部から第２の垂下片が垂設されており、
該第１及び第２の垂下片には、昇降メンバが非上昇状態にあるときに同軸状となるようにそれぞれ該ロック片差込孔が設けられており、
前記ロック片は該ロック片差込孔に差し込まれることにより昇降メンバを固定メンバに対して上昇不能とすることを特徴とする便器上面設備。
【請求項４】
請求項３において、前記ロック片が該第１及び第２の垂下片のロック片差込孔内にわたって存在しうるように構成された便器上面設備であって、
該便器上面設備が洋風便器上に設置され、前記第１の垂下片の該ロック片差込孔に対し前記カバープレートに設けられた係止用凸部が差し込まれ、これにより該カバープレートが前記固定メンバに係止されると共に前記ロック片が該第１の垂下片の差込孔に不存在となることを特徴とする便器上面設備。
【発明の詳細な説明】
【技術分野】
【０００１】
本発明は、洋風便器の後部上面に設置される便座ボックス、タンクカバー等の便器上面設備に係り、特に昇降式の便器上面設備に関する。
【背景技術】
【０００２】
洋風便器の上面に設置された便座は、便座ボックスあるいはタンクカバーなどの部材を介して洋風便器に対し回動可能に取り付けられている。
【０００３】
この便座ボックス等と洋風便器上面との間に尿などの汚れが染み込んで汚れや臭気の原因となり易い。そこで、便座ボックスを洋風便器に対し上下動可能とし、洋風便器の清掃時に便座ボックスを便座と共に上方に移動（浮上）させるようにしたものが提案されている。
【０００４】
例えば、特開２００２−４３８３号公報には、前部を含む上側部分を昇降可能とした便座ボックスが記載されている。第６図は同号公報の便座ボックスを備えた洋風便器の斜視図である。
【０００５】
陶器製の洋風便器本体１の後部上面に便座ボックス２が昇降可能に設置されており、この便座ボックス２に便座２ａ及び便蓋２ｂが起倒方向回動可能に取り付けられている。
【０００６】
この実施の形態では、便座ボックス２は、前部に配置された昇降可能なフロントベースプレート（図示略）及び該フロントベースプレートの後方に配置され、洋風便器本体１に固定されたリアベースプレート（図示略）と、無底箱状の合成樹脂製のカバー３ｂとによって外殻が形成されている。
【０００７】
洋風便器本体１の左右の側面とそれぞれ面一状に後方に張り出すように化粧プレート３ｃ，３ｃが設けられている。これらの化粧プレート３ｃ，３ｃはリアベースプレートに取り付けられている。
【０００８】
左右の化粧プレート３ｃ，３ｃで挟まれた洋風便器本体１の後背部領域に、便器のリム部及びゼット孔へ便器洗浄水を分配供給するための制水弁機構（図示略）が設けられている。
【０００９】
このカバー３ｂの両側面にロックレバー３ｄが設けられている。このロックレバー３ｄは、略々コ字形状のものである。第６図（ａ）のようにロックレバー３ｄが押し込まれると、フロントベースプレートとリアベースプレートとが該ロックレバー３ｄにより挟持されてフロントベースプレート及びカバー３ｂが上昇不能となる。
【００１０】
第６図（ｂ）のようにロックレバー３ｄを外方に引き出すと、この挟持が解除され、フロントベースプレート及びカバー３ｂが上昇可能となる。この状態でカバー３ｂを持ち上げると、ガイド機構（第６図では図示略）に案内されつつ、フロントベースプレート及びカバー３ｂが上昇する。
【特許文献１】特開２００２−４３８３号公報
【発明の開示】
【発明が解決しようとする課題】
【００１１】
上記従来の便器上面設備では、ロックレバー３ｄが丸見えとなるためロックレバーが悪戯を受けるおそれがある。また、美観が劣る。
【００１２】
本発明は、ロック機構が悪戯を受けることが無く、また美観が良好な昇降式便器上面設備を提供することを目的とする。
【課題を解決するための手段】
【００１３】
本発明の便器上面設備は、洋風便器の後部上面に設置される便器上面設備であって、該洋風便器に固定される固定メンバと、該固定メンバに対し昇降可能に取り付けられた昇降メンバと、該昇降メンバを固定メンバに対し上昇不能とするロック機構と、を有する便器上面設備において、該ロック機構を、外部から隠れる位置に設けたことを特徴とするものである。
【発明の効果】
【００１４】
かかる本発明の便器上面設備にあっては、ロック機構が隠れるため、トイレ使用者から見えることがない。よって、ロック機構が悪戯を受けることが防止される。また、きわめて美観が良好である。
【００１５】
本発明の一態様では、このロック機構は、洋風便器の側面の後方に配置されるカバープレート（化粧プレート）によって隠蔽される。このようにすれば、カバープレートは便器後方のトラップ部を隠すと共にロック機構をも隠すため、別途ロック機構専用のカバー等を設ける必要がない。
【００１６】
この場合、ロック機構はロック片とロック片差込孔からなり、前記固定メンバの側部から第１の垂下片が垂設されると共に、前記昇降メンバの側部から第２の垂下片が垂設されており、該第１及び第２の垂下片には、昇降メンバが非上昇状態にあるときに同軸状となるようにそれぞれ該ロック片差込孔が設けられており、前記ロック片は該ロック片差込孔に差し込まれることにより昇降メンバを固定メンバに対して上昇不能とするよう構成するのが好ましい。このようにすれば、ロック機構を簡単な構成とすることができる。
【００１７】
ロック片が該第１及び第２の垂下片のロック片差込孔内にわたって存在となるように構成された便器上面設備であって、該便器上面設備が洋風便器上に設置され、前記第１の垂下片の該ロック片差込孔に対し前記カバープレートに設けられた係止用凸部が差し込まれ、これにより該カバープレートが前記固定メンバに係止されると共に前記ロック片が該第１の垂下片の差込孔に不存在となる構成としてもよい。このようにすれば、便器上面設備の運搬時等にはロック機構により昇降メンバをロックしておくことができる。また、洋風便器への据え付けの際には係止用凸部が第１の垂下片に差し込まれることにより、カバープレート（化粧カバーなど）が固定ないし取り付けられ、且つ、昇降メンバのロックが解除されることにより、昇降メンバが昇降自在となる。
【発明を実施するための最良の形態】
【００１８】
第１図は本発明の一形態に係る便器上面設備の斜視図、第２図は化粧プレートを取り付ける前の状態を示す斜視図、第３図は第１図のIII−III線に沿う部分の断面図であり、第３図（ａ）は第３図（ａ）において化粧プレートを取り付ける前の状態を示す断面図、第３図（ｂ）は化粧プレートを取り付けた後の断面図である。第４図（ａ）は便座ボックスが下降した状態における便器上面設備の側面図、第４図（ｂ）は便座ボックスが上昇した状態における便器上面設備の側面図、第５図は浮上ユニットの斜視図である。
【００１９】
上記従来例と同様、陶器製の洋風便器本体１の後部上面に便座ボックス２が昇降可能に設置されており、この便座ボックス２に便座２ａ及び便蓋２ｂが起倒方向回動可能に取り付けられている。便座ボックス２は、前部に配置された昇降可能なフロントベースプレート３ａと、無底箱状の合成樹脂製のカバー３ｂとによって外殻が形成されている（第３図）。図示は省略するが、このフロントベースプレート３ａに、人体臀部を温水で洗浄するための温水洗浄ノズル及びモータ駆動式温水切替弁装置が設置されている。また、このフロントベースプレート３ａの底面には、便座ボックス２が浮上したときにその下側領域Ｓを照らすための照明３ｅが設けられている（第４図）。この照明３ｅとしてはＬＥＤが好適であるが、これに限定されない。
【００２０】
また、このフロントベースプレート３ａ上には、便座２ａ及び便蓋２ｂを開閉させる電動開閉ユニット、人体臀部に向けて温風を吹き出してその乾燥を行う温風ファン、便鉢内から臭気を含んだ空気を吸引して脱臭する脱臭ファン及び脱臭カートリッジが設けられている。カバー３ｂには、便器本体１に近づいたり着座した人体を検知するための人体検知センサが設けられている。
【００２１】
便器本体１の最後部上面には、カバー３ｂの後部側が上方から被さるようにリアベースプレート４ａが設けられている。このリアベースプレート４ａには、前記温水洗浄ノズルへ温水を供給するためのヒータ付き温水タンク４ｂ（第４図にのみ図示）、便座ボックス２を押し上げたり、降下させたりする際の動きを緩衝させるための浮上ユニット１０のほか、図示はしないがヒータ及び電動ファンよりなる部屋暖房ファン、電源基板、制御回路基板、便鉢やトラップ部へ水を供給するためのバルブユニット等が設けられている。
【００２２】
この浮上ユニット１０は、第５図に示す通り、ロータリダンパ１１と、該ロータリダンパ１１の回転軸に固着されたピニオン１２と、該ピニオン１２が噛合したラック１３とを有する。ロータリダンパ１１は、フロントベースプレート３ａに固着されている。リアベースプレート４ａからは浮上ユニット１０のフレーム１４が立設され、該フレーム１４にラック１３が固設されている。なお、図示はしないが、このフレーム１４には上下方向に延在した１対のレールが設けられており、フロントベースプレート３ａに設けられたスライダが該レールに沿って移動可能とされている。
【００２３】
この実施の形態では、リアベースプレート４ａが固定メンバであり、フロントベースプレート３ａ及びカバー３ｂが昇降メンバである。
【００２４】
第２図及び第３図に示す通り、フロントベースプレート３ａの両側縁（洋風便器本体１に着座した者から見て左右方向の両側縁）近傍の下面から、第２の垂下片３ｓが一対垂設されている。同様に、リアベースプレート４の両側縁近傍の下面から、第１の垂下片４ｓが一対垂設されている。
【００２５】
リアベースプレート４ａのうち第１の垂下片４ｓより内側には、第２の垂下片３ｓ及び後述するロックピン５を挿通するための挿通孔４ｐが設けられている。第１の垂下片４ｓ、第２の垂下片３ｓ及び挿通孔４ｐの位置関係は、第２図及び第３図の通り、フロントベースプレート３ａがリアベースプレート４ａの上面に重なり合った状態にあるときに、第２の垂下片３ｓが挿通孔４ｐに挿通され、且つ第２の垂下片３ｓの外面が第１の垂下片４ｓの内面と重なり合う関係となっている。
【００２６】
これらの垂下片４ｓ，３ｓには、上述の通りフロントベースプレート３ａがリアベースプレート４ａと重なり合った状態にあるときに同軸状となるロックピン差込孔４ｈ，３ｈが設けられている。ロックピン差込孔４ｈは、深さ方向にわたりロックピン５の頭部より若干大きな孔径となっている。ロックピン差込孔３ｈの孔径は、深さ方向の第１の垂下片４ｓに近い側はロックピン差込孔４ｈの孔径と同一であるが、途中から、該孔３ｈの内周面が隆起してリブ３ｌとなっており、該箇所はロックピン５の脚部よりは若干大きいが頭部よりは小さな孔径となっている。このロックピン差込孔３ｈの大径部の深さはロックピン５の頭部の厚さと同一となっている。
【００２７】
洋風便器本体１の左右の側面とそれぞれ面一状に取り付けられる化粧プレート３ｃ，３ｃの内壁面からは、第１の垂下片４ｓに挿通するためのボス６が突出している。
【００２８】
このように構成された便器上面設備において、便座ボックス２を運搬等する際には、第３図（ａ）に示すとおり、フロントベースプレート３ａとリアベースプレート４ａとを重ね合わせ、ロックピン５をロックピン差込孔４ｈ及びロックピン差込孔３ｈに差し込む。これにより、フロントベースプレート３ａとリアベースプレート４ａとがロックピン５によって離反不能にロックされる。
【００２９】
便座ボックス２を洋風便器本体１に据え付ける際には、上述の通りフロントベースプレート３ａとリアベースプレート４ａとがロックピン５によってロックされた状態（第３図（ａ））において洋風便器１の後部上面に便座ボックス２を載置し、次に洋風便器１の左右の側面とそれぞれ面一状に後方に張り出すように化粧プレート３ｃ，３ｃを取り付ける。この化粧プレート３ｃの取り付けの際、該化粧プレート３ｃから突出したボス６がロックピン差込孔４ｈに差し込まれ、ロックピン５の頭部がこのボス６に押されてロックピン５の頭部裏面がロックピン差込孔３ｈのリブ３ｌと当接するまで移動する（第３図（ｂ））。
【００３０】
この際、上述の通り、ロックピン５の頭部の肉厚はロックピン差込孔３ｈの大径部の深さと同一であるため、ロックピン５の頭部表面は第２の垂下片３ｓの外壁面と面一となり、またボス６の先端面は第１の垂下片４ｓの内壁面と面一となり、これによりフロントベースプレート３ａとリアベースプレート４ａとのロックが解除される。なお、ロックピン５の頭部裏面がリブ３ｌと当接するとロックピン５はそれ以上移動できないため、ロックピン５がロックピン差込孔３ｈを挿通して落下したり紛失したりすることが防止される。
【００３１】
このようにロックが解除された状態（即ち、第３図（ｂ）の状態）においてカバー３ｂを引き上げることにより、フロントベースプレート３ａ及びカバー３ｂが上昇する。また、便座照明３ｇが点灯し、浮上した便座支持部材２の前部の下側スペース（下側領域）Ｓが照明される（第４図（ｂ））。なお、図示はしないが、浮上ユニット１０には、上昇したフロントベースプレート３ａを軽くラッチするラッチ片及びラッチバネが設けられており、カバー３ｈから手を離してもフロントベースプレート３ａが下降することはない。
【００３２】
カバー３ｂを下向きにやや力を込めて押すと、このラッチが解除され、該カバー３ｂ及びフロントベースプレート３ａが下降して、もとの状態に復帰する（第４図（ａ））。
【００３３】
便座ボックス２の修理等のために便座ボックス２を洋風便器１から取り外す際には、第３図（ｂ）の状態から、先ず化粧プレート３ｃを洋風便器１から取り外してボス６をロックピン差込孔４ｈから抜き取る。次いでロックピン５の脚部先端を指等で押して、ロックピン５がロックピン差込孔３ｈ及び４ｈの両方にわたって存在するように（即ち、第３図（ａ）の状態となるように）配置し、フロントベースプレート３ａとリアベースプレート４ａとを離反不能にロックする。その後、便座ボックス２を洋風便器１から取り外す。
【００３４】
上記実施の形態にかかる便器上面設備にあっては、便器使用時（即ち、第４図（ａ）の状態）には第１の垂下片４ｓ、第２の垂下片３ｓ及びロックピン５よりなるロック機構が化粧プレート３ｃによって隠蔽されているため、ロック機構が悪戯を受けることが防止されると共に、きわめて美観が良好である。
【００３５】
上記実施の形態に係る便器上面設備にあっては、便座ボックス２の運搬時等にはロック機構によりフロントベースプレート３ａとリアベースプレート４ａとを離反不能にロックしておくことができるため、運搬等に便利である。また、便座ボックス２を洋風便器１に据え付けた後は、ロックを解除してフロントベースプレート３ａを自在に昇降させることができる。なお、ロックピン５をフロントベースプレート３ａの第２の垂下片３ｓに差し込んだままフロントベースプレート３ａの昇降が可能であるため、ロックピン５を取り外して保管する手間が省け、また保管場所を忘れることも防止される。ロックピン差込孔４ｈがボス６差込用の孔となるため、別途ボス６差込用の孔を設ける必要がない。
【００３６】
上記実施の形態は本発明の一例であり、本発明は上記実施の形態に限定されるものではない。例えば、上記実施の形態では、第１の垂下片及び第２の垂下片を各々一対ずつ設けたが、二対以上であってもよい。また、上記実施の形態では、第３図の通り第１の垂下片及び第２の垂下片とが当接するように構成されているが、第１の垂下片と第２の垂下片との間に多少の隙間をあけて、ボス６の長さ、ロックピン５の頭部の厚み、ロックピン差込孔３ｈの大径部の深さ等の寸法の多少の誤差を許容し得るようにしてもよい。
【図面の簡単な説明】
【００３７】
【図１】本発明の一形態に係る便器上面設備の斜視図である。
【図２】化粧プレートを取り付ける前の状態を示す斜視図である。
【図３】第１図のIII部分の断面図であり、（ａ）図は（ａ）図において化粧プレートを取り付ける前の状態を示す断面図、（ｂ）図は化粧プレートを取り付けた後の断面図である。
【図４】（ａ）図は便座ボックスが下降した状態における便器上面設備の側面図、（ｂ）図は便座ボックスが上昇した状態における便器上面設備の側面図である。
【図５】浮上ユニットの斜視図である。
【図６】従来例を示す斜視図である。
【符号の説明】
【００３８】
１  洋風便器本体
２  便座ボックス
３ａ  フロントベースプレート
３ｂ  カバー
３ｃ  化粧プレート
３ｈ  ロックピン差込孔
３ｌ  リブ
３ｓ  第２の垂下片
４ａ  リアベースプレート
４ｈ  ロックピン差込孔
４ｐ  挿通孔
４ｓ  第１の垂下片
【図１】
2005068771.tif 000003
【図２】
2005068771.tif 000004
【図３】
2005068771.tif 000005
【図４】
2005068771.tif 000006
【図５】
2005068771.tif 000007
【図６】
2005068771.tif 000008